(57)【特許請求の範囲】
【請求項１】
移動端末が複数の基地局を含む無線セルラー通信ネットワークにアクセスできるようにするための方法であって、
前記移動端末は、第１の基地局を経由して前記無線セルラー通信ネットワークにアクセスする権利を有しているが、第２の基地局を経由して前記無線セルラー通信ネットワークにアクセスする権利を有しておらず、該方法は、前記第２の基地局によって実行されるか、或いは前記第１の基地局及び前記第２の基地局にリンクするコアネットワーク装置によって実行され、
該方法は、
−  前記移動端末によって前記第２の基地局に向けて転送されるメッセージの受信を検出するステップであって、該メッセージは前記無線セルラーネットワークにアクセスするために前記第２の基地局の資源を使用する権利を取得するための要求を表す、検出するステップと、
−  前記第１の基地局が使用可能であるか否かを判断するステップと、
−  前記第１の基地局が使用可能でないと判断される場合に、前記第２の基地局を経由して前記無線セルラー通信ネットワークにアクセスする権利を前記移動端末に与えるステップと、
−  前記第１の基地局が使用可能であると判断される場合に、前記第２の基地局を経由して前記無線セルラー通信ネットワークにアクセスする権利を前記移動端末に与えるのを拒否するステップと
を含み、
該方法が前記第２の基地局によって実施される場合には、前記第１の基地局が使用可能であるか否かを判断することは、前記第１の基地局が前記第２の基地局によって転送されたメッセージ又は信号に応答するか否かを調べることによって行われるか、或いは前記第２の基地局が前記第１の基地局によって転送された信号を前記第２の基地局が前記移動端末と通信する際に経由する無線インターフェースを経由して受信するか否かを調べることによって行われ、
該方法が前記コアネットワーク装置によって実施される場合には、前記第１の基地局が使用可能であるか否かを判断することは、前記第１の基地局が前記コアネットワーク装置によって転送されたメッセージ又は信号に応答するか否かを調べることによって行われることを特徴とする、移動端末が複数の基地局を含む無線セルラー通信ネットワークにアクセスできるようにするための方法。
【請求項２】
前記第１の基地局が使用可能でないと判断され、かつ前記第２の基地局が前記第１の基地局の付近に位置する場合に、前記第２の基地局を経由して前記無線セルラー通信ネットワークにアクセスする権利が前記移動端末に与えられることを特徴とする、請求項１に記載の方法。
【請求項３】
前記第２の基地局を経由して前記無線セルラー通信ネットワークにアクセスする権利は、限られた期間だけ前記移動端末に与えられることを特徴とする、請求項１に記載の方法。
【請求項４】
移動端末が複数の基地局を含む無線セルラー通信ネットワークにアクセスできるようにするための装置であって、
前記移動端末は、第１の基地局を経由して前記無線セルラー通信ネットワークにアクセスする権利を有しているが、第２の基地局を経由して前記無線セルラー通信ネットワークにアクセスする権利を有しておらず、該装置は、前記第２の基地局であるか、或いは前記第１の基地局及び前記第２の基地局にリンクするコアネットワーク装置であり、
該装置は、
−  前記移動端末によって前記第２の基地局に向けて転送されるメッセージの受信を検出する手段であって、該メッセージは前記無線セルラーネットワークにアクセスするために前記第２の基地局の資源を使用する権利を取得するための要求を表す、検出する手段と、
−  前記第１の基地局が使用可能であるか否かを判断する手段と、
−  前記第１の基地局が使用可能でないと判断される場合に、前記第２の基地局を経由して前記無線セルラー通信ネットワークにアクセスする権利を前記移動端末に与える手段と、
−  前記第１の基地局が使用可能であると判断される場合に、前記第２の基地局を経由して前記無線セルラー通信ネットワークにアクセスする権利を前記移動端末に与えるのを拒否する手段と
を備え、
該装置が前記第２の基地局である場合には、前記第１の基地局が使用可能であるか否かを判断する手段は、前記第１の基地局が前記第２の基地局によって転送されたメッセージ又は信号に応答するか否かを調べるように適合されるか、或いは前記第２の基地局が前記第１の基地局によって転送された信号を前記第２の基地局が前記移動端末と通信する際に経由する無線インターフェースを経由して受信するか否かを調べるように適合され、
該装置が前記コアネットワーク装置である場合には、前記第１の基地局が使用可能であるか否かを判断する手段は、前記第１の基地局が前記コアネットワーク装置によって転送されたメッセージ又は信号に応答するか否かを調べるように適合されることを特徴とする、移動端末が複数の基地局を含む無線セルラー通信ネットワークにアクセスできるようにするための装置。
【請求項５】
プログラム可能な装置に直接ロード可能とすることができるコンピュータプログラムであって、該コンピュータプログラムがプログラム可能な装置において実行されるときに請求項１〜３に記載の方法のステップを実施するための命令又はコード部を含む、コンピュータプログラム。
【発明の詳細な説明】
【技術分野】
【０００１】
本発明は包括的には、移動端末が複数の基地局を含む無線セルラー通信ネットワークにアクセスできるようにするための方法及び装置に関する。
【背景技術】
【０００２】
無線セルラー通信ネットワークは広く配備されているが、無線セルラー通信ネットワークの基地局によって依然としてカバーされていないエリアがある。
【０００３】
たとえば、基地局によって放射される信号があまりにも大きく減衰する場合には、建物の中にある移動端末は、無線セルラー通信ネットワークにアクセスできない。
【０００４】
今日、複数の解決策が提案されている。ホーム基地局又はフェムト基地局のような特定の基地局が建物の中にサービスエリアを提供する。
【０００５】
これらの基地局は、自身のサービス品質を維持するために、限られた数の移動端末だけが基地局の資源を経由して無線セルラー通信ネットワークにアクセスできるようにする。ネットワークの資源にアクセスすることを許される端末は、基地局の保有者、ネットワークの保有者、或いは両方の組み合わせによって決定することができる。
【０００６】
たとえば、ホーム基地局の保有者及びその家族の移動端末だけが、そのホーム基地局を経由して無線セルラー通信ネットワークにアクセスすることができる。これらの移動端末は、そのホーム基地局に関連付けられている。他の移動端末は、そのホーム基地局を経由して無線セルラー通信ネットワークにアクセスすることができない。それらの移動端末は、そのホーム基地局に関連付けられていない。
【０００７】
ホーム基地局が使用可能（operational）でないとき、たとえば、ホーム基地局の電源が切られているか、ホーム基地局が壊れているか、或いは通信ネットワークから切断されているとき、そのホーム基地局に関連付けられている移動端末は、別のホーム基地局を経由して無線セルラー通信ネットワークにアクセスすることを許されていないので、別のホーム基地局を経由して無線セルラー通信ネットワークにアクセスすることはできない。
【０００８】
移動端末が別のホーム基地局を経由して無線セルラー通信ネットワークにアクセスしようと試みる場合、その移動端末と別のホーム基地局との間に関連付けがないので、無線セルラー通信ネットワークは、その端末を拒否する。
【発明の概要】
【発明が解決しようとする課題】
【０００９】
本発明は、ホーム基地局のような基地局に関連付けられている移動端末が、その移動端末が関連付けられている基地局が使用可能でない場合であっても、無線セルラー通信ネットワークにアクセスできるようにすることを目的とする。
【課題を解決するための手段】
【００１０】
その目的のために、本発明は、移動端末が複数の基地局を含む無線セルラー通信ネットワークにアクセスできるようにするための方法に関する。
移動端末は、第１の基地局を経由して無線セルラー通信ネットワークにアクセスする権利を有しているが、第２の基地局を経由して無線セルラー通信ネットワークにアクセスする権利を有していない。
この方法は、
−  移動端末によって第２の基地局に向けて転送されるメッセージの受信を検出するステップと、
−  第１の基地局が使用可能であるか否かを判断するステップと、
−  第１の基地局が使用可能でない場合に、第２の基地局を経由して無線セルラー通信ネットワークにアクセスする権利を移動端末に与えるステップと、
−  第１の基地局が使用可能である場合に、第２の基地局を経由して無線セルラー通信ネットワークにアクセスする権利を移動端末に与えるのを拒否するステップと
を含むことを特徴とする。
【００１１】
また、本発明は、移動端末が複数の基地局を含む無線セルラー通信ネットワークにアクセスできるようにするための装置にも関する。
移動端末は、第１の基地局を経由して無線セルラー通信ネットワークにアクセスする権利を有しているが、第２の基地局を経由して無線セルラー通信ネットワークにアクセスする権利を有していない。
この装置は、
−  移動端末によって第２の基地局に向けて転送されるメッセージの受信を検出する手段と、
−  第１の基地局が使用可能であるか否かを判断する手段と、
−  第１の基地局が使用可能でない場合に、第２の基地局を経由して無線セルラー通信ネットワークにアクセスする権利を移動端末に与える手段と、
−  第１の基地局が使用可能である場合に、第２の基地局を経由して無線セルラー通信ネットワークにアクセスする権利を移動端末に与えるのを拒否する手段と
を備えることを特徴とする。
【００１２】
したがって、第１の基地局が使用可能でない場合であっても、移動端末は無線セルラー通信ネットワークにアクセスすることができる。
【００１３】
さらに、第１の基地局が使用可能でない場合にのみ、第２の基地局を経由して移動端末が無線セルラー通信ネットワークにアクセスできるようにすることによって、第２の基地局を経由する無線セルラー通信ネットワークへのアクセスは、特定の条件に制限される。
【００１４】
特定の特徴によれば、第２の基地局が第１の基地局の付近に位置する場合に、第２の基地局を経由して無線セルラー通信ネットワークにアクセスする権利が移動端末に与えられる。
【００１５】
したがって、第２の基地局が第１の基地局の付近に位置する場合に、第２の基地局を経由して移動端末が無線セルラー通信ネットワークにアクセスできるようにすることによって、第２の基地局を経由する無線セルラー通信ネットワークへのアクセスは、特定の条件に制限される。
【００１６】
特定の特徴によれば、第２の基地局を経由して無線セルラー通信ネットワークにアクセスする権利は、限られた期間だけ移動端末に与えられる。
【００１７】
したがって、限られた期間だけ、第２の基地局を経由して移動端末が無線セルラー通信ネットワークにアクセスできるようにすることによって、第２の基地局を経由する無線セルラー通信ネットワークへのアクセスは、特定の条件に制限される。
【００１８】
特定の特徴によれば、無線セルラー通信ネットワークは、コアネットワーク装置を含み、上記の方法は、コアネットワーク装置によって実行される。
【００１９】
したがって、第２の基地局にかかる負担は制限される。
【００２０】
特定の特徴によれば、移動端末は、複数の第１の基地局を経由して無線セルラー通信ネットワークにアクセスすることができる。
この方法は、どの第１の基地局が使用可能でないかを判断するステップをさらに含み、
その第１の基地局は、第２の基地局から受信されたメッセージ中の第１の基地局を特定する情報を読み出すことによって、又は、第１の基地局とメッセージを転送した第２の基地局とが近いことを表す情報を用いることによって、判断される。
【００２１】
したがって、アクセス権は選択的であり、移動端末は、第１の基地局の付近に位置する第２の基地局についてのみアクセス権を取得する。
【００２２】
特定の特徴によれば、上記の方法は、第２の基地局によって実行される。
【００２３】
したがって、基地局間で負荷が分散され、コアネットワークへの影響は制限される。
【００２４】
さらに別の態様によれば、本発明は、移動端末が複数の基地局を含む無線セルラー通信ネットワークにアクセスできるようにするための方法に関する。
移動端末は、第１の基地局を経由して無線セルラー通信ネットワークにアクセスする権利を有しているが、第２の基地局を経由して無線セルラー通信ネットワークにアクセスする権利を有していない。
移動端末は、第１の基地局を特定する情報を記憶している。
この方法は、移動端末によって実行されるステップであって、
−  第１の基地局によって転送され得る信号が受信されるか否かを調べるステップと、
−  第２の基地局によって転送される信号を測定するステップと、
−  第１の基地局によって転送され得る信号が受信されず、第２の基地局によって転送される信号が受信される場合に、第２の基地局に向けてメッセージを転送するステップと、
−  第２の基地局を経由して無線セルラー通信ネットワークにアクセスする権利を与えるメッセージを第２の基地局から受信するステップと、
−  移動端末が第２の基地局を経由して無線セルラー通信ネットワークにアクセスする権利を表す情報を記憶するステップと、
−第２の基地局を経由して無線セルラー通信ネットワークにアクセスするステップと
を含むことを特徴とする。
【００２５】
また、本発明は、移動端末が複数の基地局を含む無線セルラー通信ネットワークにアクセスできるようにするための装置にも関する。
移動端末は、第１の基地局を経由して無線セルラー通信ネットワークにアクセスする権利を有しているが、第２の基地局を経由して無線セルラー通信ネットワークにアクセスする権利を有していない。
移動端末は、第１の基地局を特定する情報を記憶している。
この装置は、移動端末に含まれ、
−  第１の基地局によって転送され得る信号が受信されるか否かを調べる手段と、
−  第２の基地局によって転送される信号を測定する手段と、
−  第１の基地局によって転送され得る信号が受信されず、第２の基地局によって転送される信号が受信される場合に、第２の基地局に向けてメッセージを転送する手段と、
−  第２の基地局を経由して無線セルラー通信ネットワークにアクセスする権利を与えるメッセージを第２の基地局から受信する手段と、
−  移動端末が第２の基地局を経由して無線セルラー通信ネットワークにアクセスする権利を表す情報を記憶する手段と、
−  第２の基地局を経由して無線セルラー通信ネットワークにアクセスする手段と
を備えることを特徴とする。
【００２６】
したがって、第１の基地局が使用可能でない場合であっても、移動端末は無線セルラー通信ネットワークにアクセスすることができる。
【００２７】
さらに、第１の基地局が使用可能でない場合にのみ、移動端末が第２の基地局の資源にアクセスできるようにすることによって、第２の基地局へのアクセスは、特定の条件に制限される。
【００２８】
特定の特徴によれば、移動端末は、複数の第１の基地局を経由して無線セルラー通信ネットワークにアクセスする権利を有する。
この方法は、どの第１の基地局が使用可能でないかを判断するステップをさらに含み、
その第１の基地局は、その第１の基地局とメッセージが転送される第２の基地局とが近いことを表す情報を用いて判断される。
【００２９】
したがって、アクセス権は選択的であり、移動端末は、第１の基地局の付近に位置する第２の基地局についてのみアクセス権を取得する。
【００３０】
特定の特徴によれば、複数の第２の基地局が信号を転送し、メッセージが転送される第２の基地局は、移動端末によって最も高い信号レベルで受信される信号を転送する第２の基地局である。
【００３１】
したがって、無線セルラー通信ネットワークによって提供されるサービス品質が維持される。
【００３２】
さらに別の態様によれば、本発明は、プログラム可能な装置に直接ロード可能とすることができるコンピュータプログラムに関する。このコンピュータプログラムは、プログラム可能な装置において実行されるときに本発明による方法のステップを実施するための命令又はコードの一部を含む。
【００３３】
コンピュータプログラムに関連する特徴及び利点は、本発明による方法及び装置に関係付けて上記で記載したものと同じであるので、ここでは繰り返さない。
【００３４】
本発明の特徴は、一例の実施形態の以下の説明を読むことからさらに明らかになるはずであり、この説明は添付の図面を参照しながら提示される。
【図面の簡単な説明】
【００３５】
【図１】本発明が実施される無線セルラー通信ネットワークを表す図である。
【図２】本発明が実施される移動端末のアーキテクチャを表す図である。
【図３】本発明が実施されるコアネットワーク装置のアーキテクチャを表す図である。
【図４】本発明が実施される基地局のアーキテクチャを表す図である。
【図５】本発明による、移動端末によって実行されるアルゴリズムの一例を開示する図である。
【図６】本発明の第１の実現形態による、コアネットワーク装置によって実行されるアルゴリズムの一例を開示する図である。
【図７ａ】本発明の第２の実現形態による、基地局によって実行されるアルゴリズムの一例を開示する図である。
【図７ｂ】本発明の第２の実現形態による、コアネットワーク装置によって実行されるアルゴリズムの一例を開示する図である。
【図８】本発明の第３の実現形態による、基地局によって実行されるアルゴリズムの一例を開示する図である。
【発明を実施するための形態】
【００３６】
図１は、本発明が実施される無線セルラー通信ネットワークを表す。
【００３７】
図１では、無線セルラー通信ネットワークにおける３つの基地局ＢＳ１、ＢＳ２、及びＢＳ３が示されている。
【００３８】
基地局ＢＳ１、ＢＳ２、及びＢＳ３は、たとえばフェムト基地局ＢＳである。各基地局ＢＳは、一例として住宅内に配置され、許されている移動端末ＭＴ、すなわち基地局ＢＳに関連付けられている移動端末ＭＴが、そのフェムト基地局ＢＳを経由して無線セルラー通信ネットワークにアクセスできるようにする。
【００３９】
従来は、フェムト基地局ＢＳの所有者の移動端末ＭＴのみが、そのフェムト基地局ＢＳを経由して無線セルラー通信ネットワークにアクセスするのを許されている。
【００４０】
たとえば基地局ＢＳの所有者の家族又は友人に属する移動端末も、そのフェムト基地局ＢＳを経由して無線セルラー通信ネットワークにアクセスするのを許されていてもよい。
【００４１】
他の移動端末ＭＴは、その基地局ＢＳを経由して無線セルラー通信ネットワークにアクセスするのを許されておらず、その基地局ＢＳに関連付けられていない。
【００４２】
基地局ＢＳ１は、エリアＡＲ１内に配置され、移動端末ＭＴが基地局ＢＳ１に関連付けられているので、基地局ＢＳ１を経由して無線セルラー通信ネットワークにアクセスする権利を移動端末ＭＴに与える。たとえば、基地局ＢＳ１及び移動端末ＭＴは同じ所有者に属する。
【００４３】
基地局ＢＳ２は、エリアＡＲ２内に配置され、基地局ＢＳ２と移動端末ＭＴとが関連付けられていないので、フェムト基地局ＢＳ２を経由して無線セルラー通信ネットワークにアクセスする権利を移動端末ＭＴに与えない。
【００４４】
基地局ＢＳ３は、エリアＡＲ３内に配置され、基地局ＢＳ３と移動端末ＭＴとが関連付けられていないので、フェムト基地局ＢＳ３を経由して無線セルラー通信ネットワークにアクセスする権利を移動端末ＭＴに与えない。
【００４５】
基地局ＢＳ１によって転送される信号は、エリアＡＲ１、ＡＲ２、又はＡＲ３内に位置する任意の移動端末ＭＴによって受信される。基地局ＢＳ２によって転送される信号は、エリアＡＲ１、ＡＲ２、又はＡＲ３内に位置する任意の移動端末ＭＴによって受信される。基地局ＢＳ３によって転送される信号は、エリアＡＲ１、ＡＲ２、又はＡＲ３内に位置する任意の移動端末ＭＴによって受信される。
【００４６】
たとえば、基地局ＢＳ２によって転送されて移動端末ＭＴによって測定される信号は、基地局ＢＳ３によって転送されて移動端末ＭＴによって測定される信号よりも高い電力レベルを有する。
【００４７】
エリアＡＲ１〜ＡＲ３は、たとえば建物内の部屋である。
【００４８】
移動端末ＭＴは、基地局ＢＳ１、ＢＳ２、及びＢＳ３によって転送される信号を受信することができる。
【００４９】
各基地局ＢＳ１〜ＢＳ３は、図１には示されていない通信ネットワークを通じて、無線セルラー通信ネットワークのコアネットワーク装置ＣＮに接続されている。
【００５０】
基地局ＢＳ１は、通信ネットワーク上に確立されるリンクＳ１1を通じて、コアネットワーク装置ＣＮにリンクされる。
【００５１】
基地局ＢＳ２は、通信ネットワーク上に確立されるリンクＳ１2を通じて、コアネットワーク装置ＣＮにリンクされる。
【００５２】
基地局ＢＳ３は、通信ネットワーク上に確立されるリンクＳ１3を通じて、コアネットワーク装置ＣＮにリンクされる。
【００５３】
基地局ＢＳ１は、通信ネットワーク上に確立されるリンクＸ２12を通じて、基地局ＢＳ２にリンクされてもよい。
【００５４】
基地局ＢＳ１は、通信ネットワーク上に確立されるリンクＸ２13を通じて、基地局ＢＳ３にリンクされてもよい。
【００５５】
基地局ＢＳ２は、通信ネットワーク上に確立されるリンクＸ２23を通じて、基地局ＢＳ３にリンクされてもよい。
【００５６】
基地局ＢＳ１が使用可能（operational）でないとき、たとえば、基地局ＢＳ１の電源が切られているか、壊れているか、基地局ＢＳ１が信号を転送しない動作モードにあるか、或いは通信ネットワークから切断されているとき、移動端末ＭＴは、別の基地局ＢＳ２及びＢＳ３を経由して無線セルラー通信ネットワークにアクセスすることを許されていないので、基地局ＢＳ２又はＢＳ３を経由して無線セルラー通信ネットワークにアクセスすることはできない。
【００５７】
本発明によれば、基地局ＢＳ２及び／又はコアネットワーク装置は、移動端末ＭＴによって基地局ＢＳ２に向けて転送されるメッセージの受信を検出し、基地局ＢＳ１が使用可能であるか否かを判断し、基地局ＢＳ１が使用可能でない場合には、基地局ＢＳ２を経由して無線セルラー通信ネットワークにアクセスする権利を移動端末ＭＴに与え、基地局ＢＳ１が使用可能である場合には、基地局ＢＳ２を経由して無線セルラー通信ネットワークにアクセスする権利を移動端末ＭＴに与えるのを拒否する。
【００５８】
移動端末ＭＴが無線セルラー通信ネットワークにアクセスしているとき、その移動端末ＭＴは、遠隔通信装置との通信を確立又は受信することができ、かつ／又は、データをダウンロードすることができ、かつ／又は、自身の少なくとも１つの基地局のリストにおいて特定される基地局ＢＳが使用可能でないことをコアネットワーク装置ＣＮに通知することができ、かつ／又は、使用可能でない基地局ＢＳを起動するようにコアネットワーク装置ＣＮに要求することができる。
【００５９】
基地局ＢＳを特定する情報は、無線セルラー通信ネットワークの全ての基地局ＢＳの中からその基地局ＢＳを一意に特定することができるか、または、無線セルラー通信ネットワークの限られた数の基地局ＢＳ、たとえば所与のエリア内に位置する基地局ＢＳの中からその基地局ＢＳを一意に特定することができる。
【００６０】
図２は、本発明が実施される移動端末のアーキテクチャを表す図である。
【００６１】
移動端末ＭＴは、たとえば、バス２０１によって互いに接続される構成要素と、図５に開示されるようなプログラムによって制御されるプロセッサ２００とに基づくアーキテクチャを有している。
【００６２】
バス２０１は、プロセッサ２００を、読出し専用メモリＲＯＭ２０２、ランダムアクセスメモリＲＡＭ２０３、及び無線インターフェース２０５にリンクする。
【００６３】
メモリ２０３は、図５に開示されるようなプログラムの変数及び命令を受信するように意図されるレジスタを含む。
【００６４】
メモリ２０３は、本発明に従って移動端末ＭＴが無線セルラー通信ネットワークにアクセスする際に経由する権利を有する、少なくとも１つの基地局ＢＳのリストを記憶する。
【００６５】
メモリ２０３は、少なくとも１つの基地局ＢＳのリストにおいて特定されるその少なくとも１つの基地局ＢＳの位置を表す情報を記憶してもよい。
【００６６】
メモリ２０３は、少なくとも１つの基地局ＢＳのリストにおいて特定される基地局ＢＳの隣接条件を表す情報を記憶してもよい。
【００６７】
プロセッサ２００は、無線インターフェース２０５の動作を制御する。
【００６８】
読出し専用メモリ２０２は、図５において開示されるようなプログラムの命令を含み、それらの命令は、移動端末ＭＴが起動される際にランダムアクセスメモリ２０３に転送される。
【００６９】
移動端末ＭＴは、無線インターフェース２０５によって、基地局ＢＳに信号又はメッセージを転送し、かつ／又は、基地局ＢＳから信号又はメッセージを受信することができる。
【００７０】
無線インターフェース２０５は、基地局ＢＳによって転送される信号を測定又は検出する手段を備えている。
【００７１】
移動端末ＭＴは、図２に示されていない全地球的航法衛星システムモジュールを備えていてもよい。
【００７２】
図３は、本発明が実施されるコアネットワーク装置のアーキテクチャを表す図である。
【００７３】
コアネットワーク装置ＣＮは、たとえば、バス３０１によって互いに接続される構成要素と、図６又は図７ｂに開示されるようなプログラムによって制御されるプロセッサ３００とに基づくアーキテクチャを有している。
【００７４】
バス３０１は、プロセッサ３００を、読出し専用メモリＲＯＭ３０２、ランダムアクセスメモリＲＡＭ３０３、及びネットワークインターフェース３０６にリンクする。
【００７５】
メモリ３０３は、図６又は図７ｂに開示されるようなアルゴリズムに関連するプログラムの変数及び命令を受信するように意図されるレジスタを含む。
【００７６】
メモリ３０３は、各移動端末ＭＴごとに、本発明に従って移動端末ＭＴが無線セルラー通信ネットワークにアクセスする際に経由する権利を有する、少なくとも１つの基地局ＢＳのリストを含んでもよい。
【００７７】
メモリ３０３は、基地局ＢＳの隣接条件を表す情報を含んでもよい。
【００７８】
プロセッサ３００は、ネットワークインターフェース３０６の動作を制御する。
【００７９】
読出し専用メモリ３０２は、図６又は図７ｂにおいて開示されるようなアルゴリズムに関連するプログラムの命令を含み、それらの命令は、コアネットワーク装置ＣＮが起動される際にランダムアクセスメモリ３０３に転送される。
【００８０】
コアネットワーク装置ＣＮは、ネットワークインターフェース３０６を通じて、図１には示されていない通信ネットワークに接続することができる。たとえば、ネットワークインターフェース３０６は、ＤＳＬ（デジタル加入者線）モデム、或いはＩＳＤＮ（統合サービスデジタル網）インターフェース等である。コアネットワーク装置ＣＮは、そのようなインターフェースを通じて、少なくとも１つの基地局ＢＳへのメッセージを転送又は受信することができる。
【００８１】
メッセージは、コアネットワーク装置ＣＮと基地局ＢＳとの間の通信ネットワーク上に確立されるリンクＳ１を通じて転送される。
【００８２】
図４は、本発明が実施される基地局のアーキテクチャを表す図である。
【００８３】
基地局ＢＳは、たとえば、バス４０１によって互いに接続される構成要素と、図７ａ又は図８に開示されるようなプログラムによって制御されるプロセッサ４００とに基づくアーキテクチャを有している。
【００８４】
バス４０１は、プロセッサ４００を、読出し専用メモリＲＯＭ４０２、ランダムアクセスメモリＲＡＭ４０３、無線インターフェース４０５、及びネットワークインターフェース４０６にリンクする。
【００８５】
メモリ４０３は、図７ａ又は図８に開示されるようなアルゴリズムに関連するプログラムの変数及び命令を受信するように意図されるレジスタを含む。
【００８６】
メモリ３０３は、基地局ＢＳの隣接条件を表す情報を含んでもよい。
【００８７】
プロセッサ４００は、ネットワークインターフェース４０６及び無線インターフェース４０５の動作を制御する。ネットワークインターフェース４０６及び無線インターフェース４０５は、移動端末ＭＴが基地局ＢＳを経由して無線セルラー通信ネットワークにアクセスするときに、移動端末ＭＴによって使用される資源である。
【００８８】
読出し専用メモリ４０２は、図７ａ又は図８において開示されるようなアルゴリズムに関連するプログラムの命令を含み、それらの命令は、基地局ＢＳが起動される際にランダムアクセスメモリ４０３に転送される。
【００８９】
基地局ＢＳは、ネットワークインターフェース４０６を通じて、通信ネットワークに接続されることができる。たとえば、ネットワークインターフェース４０６は、ＤＳＬ（デジタル加入者線）モデム、或いはＩＳＤＮ（統合サービスデジタル網）インターフェース等である。基地局は、そのようなインターフェースを通じて、コアネットワーク装置ＣＮ又は他の基地局ＢＳにメッセージを転送することができ、または、他の基地局ＢＳ又はコアネットワーク装置ＣＮからメッセージを受信することができる。
【００９０】
図５は、本発明による移動端末によって実行されるアルゴリズムの一例を開示する。
【００９１】
より厳密には、本アルゴリズムは、移動端末ＭＴのプロセッサ２００によって実行される。
【００９２】
ステップＳ５００において、プロセッサ２００は、移動端末ＭＴが無線セルラー通信ネットワークにアクセスするために経由してその資源を使用することを許されている、少なくとも１つの基地局ＢＳのリストを取得する。移動端末ＭＴが無線セルラー通信ネットワークにアクセスする際に経由する権利を有する少なくとも１つの基地局ＢＳのリストは、たとえばＲＡＭメモリ２０３に記憶される。
【００９３】
少なくとも１つの基地局ＢＳのリストは、基地局ＢＳの少なくとも１つの識別子を含み、かつ／又は、少なくとも１つの基地局ＢＳによって転送される信号に移動端末ＭＴが同期できるようにする情報を含む。
【００９４】
次のステップＳ５０１において、プロセッサ２００は、無線インターフェース２０５に対して、移動端末ＭＴが無線セルラー通信ネットワークにアクセスする際に経由することを許されている少なくとも１つの基地局ＢＳによって転送され得る信号の測定に進むように指示する。図１を参照して与えられる例によって言い換えると、移動端末ＭＴの無線インターフェース２０５は、基地局ＢＳ１が使用可能であるか、すなわち信号を転送しているか否かを検出する。
【００９５】
次のステップＳ５０２において、プロセッサ２００は、移動端末ＭＴが無線セルラー通信ネットワークにアクセスする際に経由することを許されている少なくとも１つの基地局ＢＳによって転送される信号が、所定の閾値よりも高いか否かを調べる。言い換えると、移動端末ＭＴの無線インターフェース２０５は、基地局ＢＳ１によって転送される信号を検出できるか否か、すなわち基地局ＢＳ１が使用可能であるか否かを調べる。
【００９６】
少なくとも１つの基地局ＢＳのリストが１つの基地局ＢＳを含む場合には、無線インターフェース２０５は、その基地局ＢＳが信号を転送しているか否かを調べる。
【００９７】
少なくとも１つの基地局ＢＳのリストが複数の基地局ＢＳを含む場合には、無線インターフェース２０５は、そのリストに含まれる各基地局ＢＳによって転送され得る信号を測定する。
【００９８】
１つの変形形態では、無線インターフェース２０５は、リスト内に含まれていて移動端末ＭＴの位置から最も近い基地局ＢＳによって転送される各信号を測定する。移動端末ＭＴの位置は、たとえば、ＧＮＳＳ或いは無線指紋（radio fingerprint）のようなジオロケーション技法によって決定される。
【００９９】
無線指紋は、所与の位置において受信される無線信号を特徴付ける。無線指紋は、基地局識別子のリスト、或いは、ある位置において受信される信号に関する測定結果であってもよい。指紋をデータベース内に記憶されている指紋と比較することによって、移動端末ＭＴの位置を確定することができる。
【０１００】
移動端末ＭＴが基地局ＢＳ１に近く、且つ、移動端末ＭＴが無線セルラー通信ネットワークにアクセスする際に経由することを許されている基地局ＢＳ１によって転送される信号が所定の閾値以下である場合には、基地局ＢＳ１が使用可能でないことを意味しており、プロセッサ２００はステップＳ５０３に進む。
【０１０１】
移動端末ＭＴが無線セルラー通信ネットワークにアクセスする際に経由することを許されている１つの基地局ＢＳによって転送される信号が所定の閾値よりも高い場合には、プロセッサ２００はステップＳ５１０に進み、その基地局ＢＳを、移動端末ＭＴが無線セルラー通信ネットワークにアクセスする際に経由することができる基地局ＢＳとして、すなわち、移動端末ＭＴが通信を確立又は受信する際に経由することができる基地局ＢＳとして選択する。
【０１０２】
その後、プロセッサ２００は本アルゴリズムを中断する。
【０１０３】
ステップＳ５０３において、プロセッサ２００は、無線インターフェース２０５に対して、移動端末ＭＴが無線セルラー通信ネットワークにアクセスする際に経由することを許されている基地局ＢＳとして特定されない、少なくとも１つの基地局ＢＳによって転送され得る信号の測定に進むように指示する。移動端末ＭＴが無線セルラー通信ネットワークにアクセスする際に経由することができる基地局ＢＳとして特定されない基地局ＢＳは、移動端末ＭＴが関連付けられていない基地局ＢＳである。
【０１０４】
１つの変形形態では、ステップＳ５０１とＳ５０３とは同時に実行される。その変形形態によれば、プロセッサ２００は、無線インターフェース２０５に対して、任意の基地局ＢＳによって転送され得る信号の測定に進むように指示する。
【０１０５】
それらの測定から、プロセッサ２００はステップＳ５０２において、少なくとも１つの基地局ＢＳのリストにおいて特定されると共に、所定の閾値よりも高いレベルで測定される信号を転送する、少なくとも１つの基地局ＢＳが存在するか否かを判断する。
【０１０６】
リストにおいて特定されると共に、所定の閾値よりも高いレベルで測定される信号を転送する、１つの基地局ＢＳが存在する場合には、プロセッサ２００はステップＳ５１０に進む。
【０１０７】
そうでない場合には、プロセッサ２００はステップＳ５０４に進む。
【０１０８】
次のステップＳ５０４において、プロセッサ２００は、移動端末ＭＴが無線セルラー通信ネットワークにアクセスする際に経由することができる基地局ＢＳとして特定されない基地局ＢＳを選択する。
【０１０９】
プロセッサ２００は、たとえば、測定される信号の中で移動端末ＭＴによって最も高い電力強度で受信される信号を転送する基地局ＢＳ２を選択し、かつ／又は、最も低い動作負荷（working load）を有する基地局ＢＳ２を選択し、かつ／又は、移動端末ＭＴによって最も高い品質で受信される信号を転送する基地局ＢＳ２を選択する。
【０１１０】
次のステップＳ５０５において、プロセッサ２００は、選択された基地局ＢＳ２に向けてメッセージを転送するように指示する。
【０１１１】
そのメッセージは、無線セルラー通信ネットワークにアクセスするために基地局ＢＳ２の資源を使用する権利を取得するための要求を表す。
【０１１２】
そのメッセージは、移動端末ＭＴが無線セルラー通信ネットワークにアクセスする際に経由することを許されている基地局ＢＳ１が存在しないことの通知を表してもよい。
【０１１３】
そのメッセージは、移動端末ＭＴが無線セルラー通信ネットワークにアクセスする際に経由することを許されている基地局ＢＳ１が使用可能でないという事実を通知してもよい。
【０１１４】
そのメッセージは、使用可能でない基地局ＢＳ１を特定できるようにする情報を含んでもよいし、含まなくてもよい。
【０１１５】
次のステップＳ５０６において、プロセッサ２００は、ステップＳ５０５において転送されたメッセージに応答して、移動端末ＭＴのアクセス権を更新するメッセージが受信されるか否かを調べる。
【０１１６】
移動端末ＭＴのアクセス権を更新するメッセージが受信される場合には、プロセッサ２００はステップＳ５０７に進む。そうでない場合には、プロセッサ２００は、本アルゴリズムを中断する。
【０１１７】
ステップＳ５０７において、プロセッサ２００は、移動端末ＭＴが無線セルラー通信ネットワークにアクセスする際に経由することを許されている少なくとも１つの基地局ＢＳのリストを更新し、ステップＳ５０４において選択された基地局ＢＳ２の識別子をそのリストに挿入する。
【０１１８】
ここで、ステップＳ５０４において選択された基地局ＢＳ２は、限られた期間だけリスト内に挿入されるのであってもよいことに留意されたい。また、基地局ＢＳ２は、優先順位の指示と共に、または、基地局ＢＳ２が許可されている基地局の初期リストの一部でないことを反映するフラグと共に、リストに挿入されてもよい。
【０１１９】
選択された基地局ＢＳ２は、移動端末ＭＴが、遠隔通信装置との通信を確立又は受信する際に、かつ／又は、データをダウンロードする際に、かつ／又は、少なくとも１つの基地局のリストにおいて特定される基地局ＢＳが使用可能でないことをコアネットワーク装置ＣＮに通知する際に、かつ／又は、使用可能でない基地局ＢＳを起動するようにコアネットワーク装置ＣＮに要求する際に、経由することができる基地局ＢＳ２である。
【０１２０】
図６は、本発明の第１の実現形態による、コアネットワーク装置によって実行されるアルゴリズムの一例を開示する。
【０１２１】
より厳密には、本アルゴリズムは、コアネットワーク装置ＣＮのプロセッサ３００によって実行される。
【０１２２】
ステップＳ６００において、プロセッサ３００は、基地局ＢＳによって転送されたメッセージの受信を検出する。
【０１２３】
そのメッセージは、図５のステップＳ５０５において移動端末ＭＴによって転送されたメッセージに応答して、基地局ＢＳによって転送されたものである。
【０１２４】
図５を参照して与えられる例によれば、そのメッセージは基地局ＢＳ２によって転送されたものである。
【０１２５】
そのメッセージは、無線セルラー通信ネットワークにアクセスするために、基地局ＢＳ２の資源を使用する権利を取得するための要求を表してもよい。
【０１２６】
そのメッセージは、移動端末ＭＴが無線セルラー通信ネットワークにアクセスする際に経由することを許されている基地局ＢＳ１が存在しないことの通知を表してもよい。
【０１２７】
そのメッセージは、移動端末ＭＴが無線セルラー通信ネットワークにアクセスする際に経由することを許されている基地局ＢＳ１が使用可能でないという事実を通知してもよい。
【０１２８】
そのメッセージは、使用可能でない基地局ＢＳ１を特定できるようにする情報を含んでもよいし、含まなくてもよい。
【０１２９】
次のステップＳ６０１において、プロセッサ３００は、移動端末ＭＴが無線セルラー通信ネットワークにアクセスする際に経由することを許されている少なくとも１つの基地局ＢＳ、すなわち、移動端末ＭＴが関連付けられている少なくとも１つの基地局ＢＳを特定する。
【０１３０】
移動端末ＭＴが関連付けられている少なくとも１つの基地局ＢＳは、受信されたメッセージにおいて特定されてもよい。
【０１３１】
移動端末ＭＴが関連付けられている少なくとも１つの基地局ＢＳは、各移動端末ＭＴごとに、移動端末ＭＴが無線セルラー通信ネットワークにアクセスする際に経由することを許されている各基地局ＢＳを特定する情報を含むデータベース内の鍵として、受信されたメッセージに含まれる移動端末ＭＴの識別子を用いて特定されてもよい。
【０１３２】
次のステップＳ６０２において、プロセッサ３００は、移動端末ＭＴが関連付けられている少なくとも１つの基地局ＢＳの部分集合である基地局ＢＳのリストを選択する。
【０１３３】
そのリストからは、受信されたメッセージにおいて特定される、移動端末ＭＴが無線セルラー通信ネットワークにアクセスする際に経由することを許されている基地局ＢＳ１を削減してもよい。
【０１３４】
プロセッサ３００は、移動端末ＭＴが関連付けられている少なくとも１つの基地局ＢＳの中から、ステップＳ６００において受信されたメッセージを転送した基地局ＢＳ２の隣接局である１つ又は複数の基地局ＢＳを選択することによって、１つ又は複数の基地局ＢＳを選択してもよい。
【０１３５】
次のステップＳ６０３において、プロセッサ３００は、ステップＳ６０２において構築された基地局ＢＳのリストが空であるか否かを調べる。
【０１３６】
ステップＳ６０２において構築されたリストが空である場合には、プロセッサ３００はステップＳ６０５に進む。そうでない場合には、プロセッサ３００はステップＳ６０４に進む。
【０１３７】
ステップＳ６０５において、プロセッサ３００は、ステップＳ６００において受信されたメッセージを転送した基地局ＢＳ２に対して、無線セルラー通信ネットワークにアクセスするために基地局ＢＳ２の資源を使用する権利を移動端末ＭＴに与えるのを拒否することを表すメッセージを転送するように指示する。
【０１３８】
その後、プロセッサ３００は本アルゴリズムを中断する。
【０１３９】
ステップＳ６０４において、プロセッサ３００は、ステップＳ６０２において構築された基地局ＢＳのリスト内の少なくとも１つの基地局ＢＳが使用可能であるか否かを調べる。
【０１４０】
プロセッサ３００は、１つ又は複数の基地局ＢＳが、コアネットワーク装置ＣＮによって転送されるメッセージ又は信号に応答するか否かを調べることによって、ステップＳ６０２において構築された基地局ＢＳのリスト内の１つ又は複数の基地局ＢＳが使用可能であるか否かを調べてもよい。
【０１４１】
プロセッサ３００は、１つ又は複数の基地局ＢＳとコアネットワーク装置ＣＮとの間のリンクＳ１が使用可能であるか否かを調べることによって、ステップＳ６０２において構築された基地局ＢＳのリスト内の１つ又は複数の基地局ＢＳが使用可能であるか否かを調べてもよい。
【０１４２】
ステップＳ６０２において構築された基地局ＢＳのリスト内の少なくとも１つの基地局ＢＳが使用可能である場合には、プロセッサ３００は既に開示されているステップＳ６０５に進む。
【０１４３】
ステップＳ６０２において構築された基地局ＢＳのリスト内のいずれの基地局ＢＳも使用可能でない場合には、プロセッサ３００はステップＳ６０６に進む。
【０１４４】
変形形態では、プロセッサ３００は、ステップＳ６０４において、ステップＳ６００において受信されたメッセージを送信した基地局ＢＳ２に関連付けられるフラグが、基地局ＢＳ２に関連付けられていない移動端末ＭＴに対して基地局ＢＳ２を経由して無線セルラー通信ネットワークにアクセスするのを許す権限を、基地局ＢＳ２に与えているか否かをさらに調べる。
【０１４５】
そのフラグは、たとえば、基地局ＢＳ２の所有者によって設定されるか、或いは基地局ＢＳ２の資源の現在の負荷に基づいて設定される。
【０１４６】
ステップＳ６００において受信されたメッセージを送信した基地局ＢＳ２に関連付けられるフラグが、基地局ＢＳ２に関連付けられていない移動端末ＭＴによって基地局ＢＳ２を経由して無線セルラー通信ネットワークにアクセスするのを許す権限を基地局ＢＳ２に与えており、かつ、ステップＳ６０２において構築された基地局ＢＳのリスト内のいずれの基地局ＢＳも使用可能でない場合には、プロセッサ３００はステップＳ６０６に進む。
【０１４７】
ステップＳ６００において受信されたメッセージを送信した基地局ＢＳ２に関連付けられるフラグが、基地局ＢＳ２に関連付けられていない移動端末ＭＴが基地局ＢＳ２を経由して無線セルラー通信ネットワークにアクセスするのを許す権限を基地局ＢＳ２に与えていない場合には、プロセッサ３００はステップＳ６０５に進む。
【０１４８】
ステップＳ６０６において、プロセッサ３００は、ステップＳ６００において受信されたメッセージを転送した基地局ＢＳ２が、無線セルラー通信ネットワークにアクセスするために基地局ＢＳ２の資源を使用するアクセス権を与えることができるようにする。すなわち、移動端末ＭＴが遠隔通信装置との通信を確立又は受信できるようにする。
【０１４９】
プロセッサ３００は、ステップＳ６００において受信されたメッセージを転送した基地局ＢＳ２を、一時的にせよ、そうでないにせよ、リストに含むことによって、移動端末ＭＴが無線セルラー通信ネットワークにアクセスする際に経由することを許されている少なくとも１つの基地局ＢＳのリストを更新する。
【０１５０】
基地局ＢＳ２は、優先順位の指示と共に、或いは基地局ＢＳ２が少なくとも１つの基地局ＢＳの初期リストの一部でないことを反映するフラグと共に、リストに挿入されてもよい。
【０１５１】
次のステップＳ６０７において、プロセッサ３００は、ステップＳ６００において受信されたメッセージを転送した基地局ＢＳ２に向けて、無線セルラー通信ネットワークにアクセスするために基地局ＢＳ２の資源を使用するアクセス権を基地局ＢＳ２が与えることを許すメッセージを転送するように指示する。
【０１５２】
そのような許可は一時的であるか、又は一時的でないこともある。
【０１５３】
その後、プロセッサ３００は本アルゴリズムを中断する。
【０１５４】
図７ａは、本発明の第２の実現形態による、基地局によって実行されるアルゴリズムの一例を開示する。
【０１５５】
より厳密には、本アルゴリズムは、基地局ＢＳのプロセッサ４００によって実行される。
【０１５６】
ステップＳ７００において、プロセッサ４００は、移動端末ＭＴによって転送されたメッセージの受信を検出する。
【０１５７】
そのメッセージは、図５のステップＳ５０５において移動端末ＭＴによって転送されたメッセージである。
【０１５８】
そのメッセージは、無線セルラー通信ネットワークにアクセスするために基地局ＢＳ２の資源を使用する権利を取得する要求を表してもよい。
【０１５９】
そのメッセージは、移動端末ＭＴが無線セルラー通信ネットワークにアクセスする際に経由することを許されている基地局ＢＳ１が存在しないことの通知を表してもよい。
【０１６０】
そのメッセージは、移動端末ＭＴが無線セルラー通信ネットワークにアクセスする際に経由することを許されている基地局ＢＳ１が使用可能でないという事実を通知してもよい。
【０１６１】
そのメッセージは、使用可能でない基地局ＢＳ１を特定できるようにする情報を含んでもよいし、含まなくてもよい。
【０１６２】
次のステップＳ７０１において、プロセッサ４００は、移動端末ＭＴが無線セルラー通信ネットワークにアクセスする際に経由することを許されている少なくとも１つの基地局ＢＳ、すなわち、移動端末ＭＴが関連付けられている少なくとも１つの基地局ＢＳを特定する。
【０１６３】
移動端末ＭＴが関連付けられている少なくとも１つの基地局ＢＳは、受信されたメッセージにおいて特定されてもよい。
【０１６４】
移動端末ＭＴが関連付けられている少なくとも１つの基地局ＢＳは、各移動端末ＭＴごとに、移動端末ＭＴが無線セルラー通信ネットワークにアクセスする際に経由することを許されている基地局ＢＳを特定する情報を含むデータベース内の鍵として、受信されたメッセージに含まれている移動端末ＭＴの識別子を用いて特定されてもよい。
【０１６５】
次のステップＳ７０２において、プロセッサ４００は、移動端末ＭＴが関連付けられている少なくとも１つの基地局ＢＳの部分集合である基地局ＢＳのリストを選択する。
【０１６６】
そのリストからは、受信されたメッセージにおいて特定された、移動端末ＭＴが無線セルラー通信ネットワークにアクセスする際に経由することを許されている基地局ＢＳ１を削減してもよい。
【０１６７】
プロセッサ４００は、移動端末ＭＴが関連付けられている少なくとも１つの基地局ＢＳの中から、基地局ＢＳ２の隣接局である１つ又は複数の基地局ＢＳを選択することによって、１つ又は複数の基地局ＢＳを選択してもよい。
【０１６８】
次のステップＳ７０３において、プロセッサ４００は、ステップＳ７０２において構築された基地局ＢＳのリストが空であるか否かを調べる。
【０１６９】
ステップＳ７０２において構築されたリストが空である場合には、プロセッサ４００はステップＳ７０５に進む。そうでない場合には、プロセッサ４００はステップＳ７０４に進む。
【０１７０】
ステップＳ７０５において、プロセッサ４００は、無線セルラー通信ネットワークにアクセスするために基地局ＢＳ２の資源を使用する権利を移動端末に与えるのを拒否することを表すメッセージを、ステップＳ７００において受信されたメッセージを転送した移動端末に向けて転送するように指示する。
【０１７１】
その後、プロセッサ４００は本アルゴリズムを中断する。
【０１７２】
ステップＳ７０４において、プロセッサ７００は、ステップＳ７０２において構築された基地局ＢＳのリスト内の少なくとも１つの基地局ＢＳが使用可能であるか否かを調べる。
【０１７３】
プロセッサ４００は、ステップＳ７０２において構築されたリスト内の各基地局ＢＳごとに、その基地局が基地局ＢＳ２によって転送されたメッセージ又は信号に応答するか否かを調べることによって、移動端末ＭＴが無線セルラー通信ネットワークにアクセスする際に経由することを許されている基地局ＢＳが使用可能であるか否かを調べてもよい。
【０１７４】
プロセッサ４００は、ステップＳ７０２において構築されたリスト内の各基地局ＢＳごとに、基地局ＢＳ２と基地局ＢＳとの間のリンクＸ２が使用可能であるか否かを調べることによって、移動端末ＭＴが無線セルラー通信ネットワークにアクセスする際に経由することを許されている基地局ＢＳが使用可能であるか否かを調べてもよい。
【０１７５】
プロセッサ４００は、ステップＳ７０２において構築されたリスト内の各基地局ＢＳごとに、移動端末ＭＴが無線セルラー通信ネットワークにアクセスする際に経由することを許されている基地局ＢＳによって転送された信号が無線インターフェース４０５によって検出されるか否かを調べることによって、移動端末ＭＴが無線セルラー通信ネットワークにアクセスする際に経由することを許されている基地局ＢＳが使用可能であるか否かを調べてもよい。
【０１７６】
ステップＳ７０２において構築された基地局ＢＳのリスト内の少なくとも１つの基地局ＢＳが使用可能である場合には、プロセッサ３００は既に開示されているステップＳ７０５に進む。
【０１７７】
ステップＳ７０２において構築された基地局ＢＳのリスト内のいずれの基地局ＢＳも使用可能でない場合には、プロセッサ４００はステップＳ７０６に進む。
【０１７８】
変形形態では、プロセッサ４００は、ステップＳ７０４において、基地局ＢＳ２に関連付けられるフラグが、基地局ＢＳ２に関連付けられていない移動端末ＭＴに対して基地局ＢＳ２を経由して無線セルラー通信ネットワークにアクセスするのを許す権限を、基地局ＢＳ２に与えるか否かをさらに調べる。
【０１７９】
そのフラグは、たとえば、基地局ＢＳ２の所有者によって設定されるか、或いは基地局ＢＳ２の資源の現在の負荷に基づいて設定される。
【０１８０】
基地局ＢＳ２に関連付けられるフラグが、基地局ＢＳ２に関連付けられていない移動端末ＭＴが基地局ＢＳ２を経由して無線セルラー通信ネットワークにアクセスするのを許す権限を基地局ＢＳ２に与え、かつ、ステップＳ７０２において構築された基地局ＢＳのリスト内のいずれの基地局ＢＳも使用可能でない場合には、プロセッサ４００はステップＳ７０６に進む。
【０１８１】
ステップＳ７００において受信されたメッセージを送信した基地局ＢＳ２に関連付けられるフラグが、基地局ＢＳ２に関連付けられていない移動端末ＭＴが基地局ＢＳ２を経由して無線セルラー通信ネットワークにアクセスするのを許す権限を基地局ＢＳ２に与えない場合には、プロセッサ４００はステップＳ７０５に進む。
【０１８２】
ここで、１つの変形形態では、ステップＳ７０４は基地局ＢＳのプロセッサ４００によって実行されるのではなく、コアネットワーク装置ＣＮのプロセッサ３００によって実行されることに留意されたい。
【０１８３】
ステップＳ７０６において、プロセッサ４００は、無線セルラー通信ネットワークにアクセスするために移動端末ＭＴが基地局ＢＳ２の資源を使用することを許すようにコアネットワーク装置ＣＮに要求するメッセージを、コアネットワーク装置ＣＮに向けて転送するように指示する。
【０１８４】
次のステップＳ７０７において、プロセッサ４００は、無線セルラー通信ネットワークにアクセスするために移動端末ＭＴが基地局ＢＳ２の資源を使用することを許すメッセージがコアネットワーク装置ＣＮから受信されるか否かを調べる。
【０１８５】
無線セルラー通信ネットワークにアクセスするために移動端末ＭＴが基地局ＢＳ２の資源を使用することを許すメッセージがコアネットワーク装置ＣＮから受信される場合には、プロセッサ４００はステップＳ７０８に進む。そうでない場合には、プロセッサ４００はステップＳ７０５に進む。
【０１８６】
ステップＳ７０８において、プロセッサ４００は、一時的にせよ、そうでないにせよ、基地局ＢＳ２をリストに含むことによって、移動端末ＭＴが無線セルラー通信ネットワークにアクセスする際に経由することを許されている少なくとも１つの基地局ＢＳのリストを更新する。
【０１８７】
また、基地局ＢＳ２は、優先順位の指示と共に、或いは基地局ＢＳ２が許可された基地局の初期リストの一部でないことを反映するフラグと共に、リストに挿入されてもよい。
【０１８８】
１つの変形形態では、プロセッサ４００は、移動端末ＭＴが無線セルラー通信ネットワークにアクセスする際に経由することを許されている少なくとも１つの基地局ＢＳの更新されたリストを、コアネットワーク装置ＣＮから受信する。
【０１８９】
更新されたリストは、移動端末ＭＴに転送される。
【０１９０】
その後、プロセッサ４００は、本アルゴリズムを中断する。
【０１９１】
図７ｂは、本発明の第２の実現形態による、コアネットワーク装置によって実行されるアルゴリズムの一例を開示する。
【０１９２】
より厳密には、本アルゴリズムは、コアネットワーク装置ＣＮのプロセッサ３００によって実行される。
【０１９３】
ステップＳ７５０において、プロセッサ３００は、基地局ＢＳによって転送されたメッセージの受信を検出する。
【０１９４】
そのメッセージは、図７ａのステップＳ７０６において基地局ＢＳ２によって転送されたメッセージである。
【０１９５】
次のステップＳ７５１において、プロセッサ３００は、無線セルラー通信ネットワークにアクセスするために移動端末ＭＴが基地局ＢＳ２の資源を使用するのを許されるか否かを調べる。
【０１９６】
たとえば、プロセッサ４００は、基地局ＢＳ２に関連付けられるフラグが、基地局ＢＳ２に関連付けられていない移動端末ＭＴに対して基地局ＢＳ２を経由して無線セルラー通信ネットワークにアクセスするのを許す権限を、基地局ＢＳ２に与えるか否かを調べることによって、無線セルラー通信ネットワークにアクセスするために移動端末ＭＴが基地局ＢＳ２の資源を使用するのを許されるか否かを調べる。
【０１９７】
そのフラグは、たとえば、基地局ＢＳ２の所有者によって設定されるか、或いは基地局ＢＳ２の資源の現在の負荷に基づいて設定される。
【０１９８】
無線セルラー通信ネットワークにアクセスするために移動端末ＭＴが基地局ＢＳ２の資源を使用するのを許される場合には、プロセッサ３００はステップＳ７５３に進む。そうでない場合には、プロセッサ３００はステップＳ７５２に進む。
【０１９９】
ここで、ステップＳ７５１は、移動端末ＭＴが無線セルラー通信ネットワークにアクセスする際に経由することを許されている基地局ＢＳ１が使用可能であるか否かを調べることに置き換えられてもよいことに留意されたい。
【０２００】
移動端末ＭＴが無線セルラー通信ネットワークにアクセスする際に経由することを許されている基地局ＢＳ１が使用可能である場合には、プロセッサ３００はステップＳ７５２に進む。そうでない場合には、プロセッサ３００はステップＳ７５３に進む。
【０２０１】
ステップＳ７５２において、プロセッサ３００は、移動端末ＭＴが基地局ＢＳ２を経由して無線セルラー通信ネットワークにアクセスするのを拒否するメッセージを転送するように指示する。
【０２０２】
その後、プロセッサ３００は、本アルゴリズムを中断する。
【０２０３】
ステップＳ７５３において、プロセッサ３００は、無線セルラー通信ネットワークにアクセスするために移動端末ＭＴが基地局ＢＳの資源にアクセスすることを許すメッセージを転送するように指示する。
【０２０４】
１つの変形形態では、プロセッサ３００は、一時的にせよ、そうでないにせよ、基地局ＢＳ２をリストに含むことによって、移動端末ＭＴが無線セルラー通信ネットワークにアクセスする際に経由することを許されている少なくとも１つの基地局ＢＳのリストを更新し、そのリストを、ステップＳ７５０において受信されたメッセージを転送した基地局ＢＳ２に向けて転送する。
【０２０５】
その後、プロセッサ３００は本アルゴリズムを中断する。
【０２０６】
図８は、本発明の第３の実現形態による、基地局によって実行されるアルゴリズムの一例を開示する。
【０２０７】
より厳密には、本アルゴリズムは基地局ＢＳのプロセッサ４００によって実行される。
【０２０８】
ステップＳ８００において、プロセッサ４００は、移動端末ＭＴによって転送されたメッセージの受信を検出する。
【０２０９】
そのメッセージは、図５のステップＳ５０５において移動端末ＭＴによって転送されたメッセージであり、図７ａのステップＳ７００において開示されているようなメッセージである。
【０２１０】
次のステップＳ８０１において、プロセッサ４００は、図７ａのステップＳ７０１において開示されているように、移動端末ＭＴが無線セルラー通信ネットワークにアクセスする際に経由することを許されている少なくとも１つの基地局ＢＳ、すなわち、移動端末ＭＴが関連付けられている少なくとも１つの基地局ＢＳを特定する。
【０２１１】
次のステップＳ８０２において、プロセッサ４００は、図７ａのステップＳ７０２において開示されているように、移動端末ＭＴが関連付けられている少なくとも１つの基地局ＢＳの部分集合である基地局ＢＳのリストを選択する。
【０２１２】
次のステップＳ８０３において、プロセッサ４００は、ステップＳ８０２において構築された基地局ＢＳのリストが空であるか否かを調べる。
【０２１３】
ステップＳ８０２において構築されたリストが空である場合には、プロセッサ４００はステップＳ８０５に進む。そうでない場合には、プロセッサ４００はステップＳ８０４に進む。
【０２１４】
ステップＳ８０５において、プロセッサ４００は、無線セルラー通信ネットワークにアクセスするために基地局ＢＳ２の資源を使用する権利を移動端末ＭＴに対して与えるのを拒否することを表すメッセージを、ステップＳ８００において受信されたメッセージを転送した移動端末ＭＴに向けて転送するように指示する。
【０２１５】
その後、プロセッサ４００は本アルゴリズムを中断する。
【０２１６】
ステップＳ８０４において、プロセッサ７００は、図７ａのステップＳ７０４において開示されているように、ステップＳ８０２において構築された基地局ＢＳのリスト内の少なくとも１つの基地局ＢＳが使用可能であるか否かを調べる。
【０２１７】
ステップＳ８０２において構築された基地局ＢＳのリスト内の少なくとも１つの基地局ＢＳが使用可能である場合には、プロセッサ３００は既に開示されているステップＳ８０５に進む。
【０２１８】
ステップＳ８０２において構築された基地局ＢＳのリスト内のいずれの基地局ＢＳも使用可能でない場合には、プロセッサ４００はステップＳ８０６に進む。
【０２１９】
変形形態では、プロセッサ４００は、ステップＳ８０４において、基地局ＢＳ２に関連付けられるフラグが、基地局ＢＳ２に関連付けられていない移動端末ＭＴに対して基地局ＢＳ２を経由して無線セルラー通信ネットワークにアクセスするのを許す権限を、基地局ＢＳ２に与えているか否かをさらに調べる。
【０２２０】
そのフラグは、たとえば、基地局ＢＳ２の所有者によって設定されるか、或いは基地局ＢＳ２の資源の現在の負荷に基づいて設定される。
【０２２１】
基地局ＢＳ２に関連付けられるフラグが、基地局ＢＳ２に関連付けられていない移動端末ＭＴが基地局ＢＳ２を経由して無線セルラー通信ネットワークにアクセスするのを許す権限を基地局ＢＳ２に与え、かつ、ステップＳ８０２において構築された基地局ＢＳのリスト内のいずれの基地局ＢＳも使用可能でない場合には、プロセッサ４００はステップＳ８０６に進む。
【０２２２】
ステップＳ８００において受信されたメッセージを送信した基地局ＢＳ２に関連付けられるフラグが、基地局ＢＳ２に関連付けられていない移動端末ＭＴが基地局ＢＳ２を経由して無線セルラー通信ネットワークにアクセスするのを許す権限を基地局ＢＳ２に与えていない場合には、プロセッサ４００はステップＳ８０５に進む。
【０２２３】
ステップＳ８０６において、プロセッサ４００は、無線セルラー通信ネットワークにアクセスするために移動端末ＭＴが基地局ＢＳ２の資源を使用することを許すメッセージを、移動端末ＭＴに向けて転送するように指示する。
【０２２４】
そのメッセージは、基地局ＢＳ２の識別子を含むか、或いは移動端末ＭＴが無線セルラー通信ネットワークにアクセスする際に経由することを許されている少なくとも１つの基地局ＢＳの更新されたリストである。
【０２２５】
更新されたリストは、基地局ＢＳ２の識別子を含む。
【０２２６】
その後、プロセッサ４００は本アルゴリズムを中断する。
【０２２７】
当然、本発明の範囲から逸脱することなく、上述した本発明の実施形態に対して、数多くの変更を加えることができる。
【図１】
0005514824.tif 000002
【図２】
0005514824.tif 000003
【図３】
0005514824.tif 000004
【図４】
0005514824.tif 000005
【図５】
0005514824.tif 000006
【図６】
0005514824.tif 000007
【図７ａ】
0005514824.tif 000008
【図７ｂ】
0005514824.tif 000009
【図８】
0005514824.tif 000010